(57)【要約】【課題】移動機との間で再接続が行われてから、該移動機が周波数帯測定期間を起動するまでの時間を短縮すること。【解決手段】基地局装置は、移動機により送信されるべき当該基地局装置との間の再接続を要求するための再接続要求信号を受信する再接続要求信号受信部と、該再接続要求信号受信部により受信された再接続要求信号を送信した移動機の再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出部と、該状態検出部により周波数帯測定期間を起動中であると判定された場合、再接続要求信号に対する応答信号に、周波数帯測定期間を起動させる指示信号を含めた応答信号を生成する応答信号生成部と、該応答信号生成部により生成された応答信号を移動機に送信する応答信号送信部とを有する。【選択図】図２
2011223095.tif 000002
【特許請求の範囲】
【請求項１】
移動機との間で無線通信を行う基地局装置であって、
前記移動機により送信されるべき当該基地局装置との間の再接続を要求するための再接続要求信号を受信する再接続要求信号受信部と、
該再接続要求信号受信部により受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出部と、
該状態検出部により周波数帯測定期間を起動中であると判定された場合、前記再接続要求信号に対する応答信号に、前記周波数帯測定期間を起動させる指示信号を含めた応答信号を生成する応答信号生成部と、
該応答信号生成部により生成された応答信号を移動機に送信する応答信号送信部と
を有する基地局装置。
【請求項２】
請求項１に記載の基地局装置において、
前記状態検出部は、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する基地局装置。
【請求項３】
請求項１又は２に記載の基地局装置において、
前記応答信号は、前記移動機に回線設定及び周波数帯測定を指示するための信号である基地局装置。
【請求項４】
移動機との間で無線通信を行う基地局装置における方法であって、
前記移動機により送信されるべき当該基地局装置との間の再接続を要求するための再接続要求信号を受信する再接続要求信号受信ステップと、
該再接続要求信号受信ステップにより受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出ステップと、
該状態検出ステップにより周波数帯測定期間を起動中であると判定された場合、前記再接続要求信号に対する応答信号に、前記周波数帯測定期間を起動させる指示信号を含めた応答信号を生成する応答信号生成ステップと、
該応答信号生成ステップにより生成された応答信号を移動機に送信する応答信号送信ステップと
を有する方法。
【請求項５】
請求項４に記載の方法において、
前記状態検出ステップは、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する方法。
【請求項６】
請求項１又は２に記載の方法において、
前記応答信号は、前記移動機に回線設定及び周波数帯測定を指示するための信号である方法。
【発明の詳細な説明】
【技術分野】
【０００１】
本発明は、無線通信システムに関する。
【背景技術】
【０００２】
LTE(Long  Term  Evolution)は、W-CDMA(Wideband-Code  Division  Multiple  Access)の標準化団体3GPP(3rd  Generation  Partnership  Project)にて、仕様が作成されている。LTEは、W-CDMAの拡張技術であるHSPA(High  Speed  Packet  Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
今後、LTEが導入されることにより、既存の移動体通信システムとLTEとが混在する状況となることが予想される。既存のシステムには、W-CDMA方式による移動体通信システムが含まれる。
【０００４】
移動体通信システムにおいて、移動機は、所定の周波数の受信レベル、受信品質を測定する。該所定の周波数には、サービングセルの周波数、サービングセルの周波数とは異なる周波数が含まれる。該サービングセルは、LTEのセルであってもよい。また、該所定の周波数には、LTEとは異なる無線アクセステクノロジ(RAT: Radio Access Technology)の周波数が含まれてもよい。該無線アクセステクノロジには、W-CDMA方式による移動体通信システムが含まれる。LTEとは異なる無線アクセステクノロジ(RAT: Radio Access Technology)の周波数帯は、LTEと同じ周波数帯であってもよいし、異なる周波数帯であってもよい。
【０００５】
サービングセルの周波数帯とは異なる周波数帯測定が移動機において行われる場合、基地局装置と移動機との間で、周波数帯測定のための期間が設定される。該期間は、メジャメントギャップ(Measurement Gap)とも呼ばれる。サービングセルの周波数帯とは異なる周波数帯に移動機をハンドオーバーさせる可能性がある場合に、基地局装置は、該移動機に所定の周波数帯を測定させるためのメジャメントギャップの起動を指示する。ここで、ハンドオーバーさせる可能性がある場合とは、通信中のエリアの通信品質が悪く、且つ当該基地局装置の周辺に他の基地局装置が存在する場合である。基地局装置は、移動機にメジャメントギャップを起動させるタイミング又は停止させるタイミングを決定する。該タイミングを決定するために、基地局装置は、移動機に対して、通信中に、エリアの通信品質の測定を指示する。メジャメントギャップの間は、移動機はサービングセルの周波数帯とは異なる周波数帯測定を実施し、基地局装置 (eNodeB)は移動機にデータの送信を行わない。移動機はメジャメントギャップの間はデータの送受信ができないためである。
【０００６】
移動機は、メジャメントギャップ起動中に通信品質が劣化したことを検出した場合には、メジャメントギャップを停止し、基地局装置に再接続を要求する。該通信品質の劣化はスケルチと呼ばれてもよい。
【０００７】
基地局装置は、移動機に、測定内容などの再設定(Reconfiguration)を指示する際、前回指示した設定(Configuration)との差分情報を通知するようにしてもよい。差分情報を通知することは、デルタコンフィグレーション(Delta Configuration)と規定されている。例えば、基地局装置は、再接続後の移動機に測定内容などの再設定を指示する際、再接続前に指示した設定との差分情報を通知する。移動局は、再接続前後で、再接続前に指示された設定を引き継いでいる。換言すれば、再接続が発生しても、移動機に保持される設定は変化しない。
【先行技術文献】
【非特許文献】
【０００８】
【非特許文献１】TS36.331 V9.1.0 2009 12
【発明の概要】
【発明が解決しようとする課題】
【０００９】
メジャメントギャップを起動中の移動機は、基地局装置に再接続を要求する場合には、メジャメントキャップを停止する。従って、再接続後の移動機はメジャメントギャップを停止している。再接続後の移動機は再接続前に指示された設定を引き継いでいるためである。
【００１０】
一般的に、再接続前後では、移動機の位置は大きくは変わらないと想定される。一時的な通信品質の劣化が、再接続の主な要因であるためである。メジャメントギャップを起動している移動機が通信品質の劣化を検出すると、メジャメントギャップを停止し、再接続を要求する。しかし、上述したように再接続後にも該移動機の位置は大きくは変わっていないため、通信品質が劣化していると想定される。通信品質が劣化すると、基地局装置は、該移動機に所定の周波数帯を測定させるためのメジャメントギャップの起動を指示する。すなわち、通信品質の劣化を検出した移動機は、メジャメントギャップを停止し、再接続を行い、メジャメントギャップを停止した状態となっても、すぐにメジャメントギャップを起動しなければならない。
【００１１】
基地局装置によりメジャメントギャップの起動を指示された移動機は、サービングセルの周波数帯とは異なる周波数帯、LTEとは異なる無線アクセステクノロジの周波数帯などを測定し、該測定結果を基地局装置に報告する。基地局装置は、該測定結果に基づいて、ハンドオーバー先を指示する。通信品質が劣化すると想定されるにもかかわらず、メジャメントギャップの起動の指示を待って移動機による周波数帯測定が実行されるため、ハンドオーバーさせるべきタイミングを逃してしまうことも想定される。
【００１２】
そこで、本発明は上述した問題点に鑑みてなされたものであり、その目的は、移動機との間で再接続が行われてから、該移動機が周波数帯測定期間を起動するまでの時間を短縮できる基地局装置及び方法を提供することにある。
【課題を解決するための手段】
【００１３】
本基地局装置は、
移動機との間で無線通信を行う基地局装置であって、
前記移動機により送信されるべき当該基地局装置との間の再接続を要求するための再接続要求信号を受信する再接続要求信号受信部と、
該再接続要求信号受信部により受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出部と、
該状態検出部により周波数帯測定期間を起動中であると判定された場合、前記再接続要求信号に対する応答信号に、前記周波数帯測定期間を起動させる指示信号を含めた応答信号を生成する応答信号生成部と、
該応答信号生成部により生成された応答信号を移動機に送信する応答信号送信部と
を有する。
【００１４】
本方法は、
移動機との間で無線通信を行う基地局装置における方法であって、
前記移動機により送信されるべき当該基地局装置との間の再接続を要求するための再接続要求信号を受信する再接続要求信号受信ステップと、
該再接続要求信号受信ステップにより受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出ステップと、
該状態検出ステップにより周波数帯測定期間を起動中であると判定された場合、前記再接続要求信号に対する応答信号に、前記周波数帯測定期間を起動させる指示信号を含めた応答信号を生成する応答信号生成ステップと、
該応答信号生成ステップにより生成された応答信号を移動機に送信する応答信号送信ステップと
を有する。
【発明の効果】
【００１５】
開示の基地局装置及び方法によれば、移動機との間で再接続が行われてから、該移動機が周波数帯測定期間を起動するまでの時間を短縮できる。
【図面の簡単な説明】
【００１６】
【図１】本実施例に従った基地局装置が適用される環境を示す説明図である。
【図２】本実施例に従った基地局装置を示す機能ブロック図である。
【図３】本実施例に従った基地局装置の動作を説明するための説明図である。
【図４】本実施例に従った基地局装置の動作を示すシーケンス図である。
【図５】基地局装置の動作の一例を示すシーケンス図である。
【発明を実施するための形態】
【００１７】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１８】
＜実施例＞
＜無線通信システム＞
本実施例に従った基地局装置が適用される環境について説明する。
【００１９】
本基地局装置が適用される環境は、複数の移動体通信システムが混在する環境である。該移動体通信システムには、Evolved  UTRA  and  UTRAN方式の移動体通信システムが含まれる。Evolved  UTRAN  and  UTRAN方式の移動体通信システムは、ロングタームエボリューション(LTE:  Long  Term  Evolution)と呼ばれる。さらに、W-CDMA方式の移動体通信システムが含まれてもよい。
【００２０】
基地局装置によりカバーされるエリアには、１又は複数のセルが含まれる。該複数のセルには、同一周波数帯で無線通信可能なセルが存在する。該同一周波数帯で無線通信可能なセルは周波数レイヤと呼ばれてもよい。
【００２１】
図１は、本基地局装置が適用される環境の一例を示す模式図である。図１には、一例として、LTE方式に従った基地局装置１００と、該基地局装置１００によりカバーされるエリアが示される。該エリアには、移動機２００との間で無線通信可能なセル１５０が含まれる。該エリアには、該移動機２００との間の無線通信に使用されている周波数帯とは異なる他の周波数帯で無線通信可能なセルが含まれてもよい。また、基地局装置１００とは異なる他の基地局装置（図示なし）によりカバーされるセルが混在していてもよい。また、LTEとは異なる他の無線アクセステクノロジにより無線通信可能なセル１６０が混在していてもよい。該他の無線アクセステクノロジには、W-CDMAが含まれてもよい。
【００２２】
移動機２００との間の無線通信に使用されているセル１５０は、基地局装置１００が、移動機２００にメジャメントギャップを起動させると判定するエリア（以下、「メジャメントギャップ起動エリア」と呼ぶ）と、基地局装置１００が、移動機２００にメジャメントギャップを停止させると判定するエリア（以下、「メジャメントギャップ停止エリア」と呼ぶ）とを含む。換言すれば、「メジャメントギャップ起動エリア」は、基地局装置１００と移動機２００との間の通信品質が悪くなる可能性が高いと想定されるエリアである。「メジャメントギャップ停止エリア」は、基地局装置１００と移動機２００との間の通信品質が悪くなる可能性が低いと想定されるエリアである。
【００２３】
本基地局装置１００は、移動機２００のメジャメントギャップの起動又は停止を管理する。メジャメントギャップ起動エリアに移動機２００が移動した場合、基地局装置１００は、該移動機２００にメジャメントギャップの起動を要求する。メジャメントギャップの起動は、当該基地局装置１００と移動機２００との間の通信品質に基づいて判定されてもよい。
【００２４】
また、メジャメントギャップ停止エリアに移動機２００が移動した場合、基地局装置１００は、該移動機２００にメジャメントギャップの停止を要求する。メジャメントギャップの停止は、当該基地局装置１００と移動機２００との間の通信品質に基づいて判定されてもよい。
【００２５】
本基地局装置１００は、移動機２００から「再接続要求信号」を受信した場合に、該移動機２００に「再接続要求応答信号」を送信する。「再接続要求応答信号」を送信した本基地局装置１００は、該移動機２００が「再接続要求信号」を送信した際にメジャメントギャップを起動していたかどうかを判定する。本基地局装置１００は、該移動機２００が「再接続要求信号」を送信する直前の状態を把握できる。本基地局装置１００によりメジャメントギャップの起動又は停止が指示されるためである。メジャメントギャップを起動していたと判定した場合、本基地局装置１００は、該移動機２００から「再接続報告信号」を受信した後に送信すべき「回線設定・測定指示信号」に、メジャメントギャップを起動させる指示信号を含める。該「回線設定・測定指示信号」には、回線を設定するための情報、周波数帯測定のための情報が含まれる。
【００２６】
メジャメントギャップを起動させる信号を含む「回線設定・測定指示信号」を受信した移動機２００は、メジャメントギャップを起動する。
【００２７】
「回線設定・測定指示信号」に、メジャメントギャップを起動させる指示信号を含めることにより、移動機２００との間で再接続が行われてから、該移動機２００がメジャメントギャップを起動するまでの時間を早めることができる。換言すれば、メジャメントギャップを起動中であった移動機２００からの「再接続要求信号」により、基地局装置１００が「回線設定・測定指示信号」を送信してから、該移動機２００との間の通信品質の劣化を検出し、メジャメントギャップを起動させる信号を送信するまでの手順が不要になる。基地局装置１００が「回線設定・測定指示信号」を送信してから、基地局装置１００が該移動機２００との間の通信品質の劣化を検出し、メジャメントギャップを起動させる信号を送信する手順が不要になるため、該移動機２００に、当該基地局装置１００との間の無線通信に使用されている無線アクセステクノロジにおける周波数帯とは異なる周波数帯及び／又は異なる無線アクセステクノロジの周波数帯を測定させるタイミングを早めることができる。該周波数帯を測定させるタイミングを早めることができるため、ハンドオーバーの契機を逃す確率を低減できる。また、再接続時に測定内容を変更するための指示が不要となる。
【００２８】
本実施例に従った移動機は、LTE方式により無線通信が可能である。さらに、LTE方式とは異なる他の無線アクセステクノロジにより無線通信が可能であってもよい。該他の無線アクセステクノロジには、WCDMAが含まれてもよい。
【００２９】
＜基地局装置＞
本基地局装置１００は、モビリティマネジメントエンティティ／サービングゲートウェイ(MME/SGW:  Mobility  Management  Entity/Serving  Gateway)と接続される。モビリティマネジメントエンティティ／サービングゲートウェイは、コアネットワーク（図示なし）と接続される。本基地局装置１００は、セル１５０をカバーする。移動機２００は、セル１５０において本基地局装置１００とEvolved  UTRA  and  UTRAN方式により通信を行う。モビリティマネジメントエンティティ／サービングゲートウェイは、アクセスゲートウェイと呼ばれることもある。本基地局装置１００は、エンハンストパケットコア(EPC: Evolved Packet Core)（図示なし）と接続されてもよい。
【００３０】
モビリティマネジメントエンティティ／サービングゲートウェイに１台の基地局装置が接続されてもよいし、複数の基地局装置が接続されてもよい。
【００３１】
図２は、本実施例に従った基地局装置１００を示す。
【００３２】
本基地局装置１００は、下りリンク信号受信部１０２を有する。下りリンク信号受信部１０２は、上位の装置、例えば、MMEにより送信された下りリンクの信号を受信する。該下りリンクの信号には、他の移動機により送信され、該他の移動機と無線通信を行う基地局装置からMMEを介して受信される下りリンクの信号が含まれる。当該基地局装置１００と接続されるMMEと異なる他のMMEから当該MMEに送信される下りリンクの信号であってもよい。下りリンク信号受信部１０２は、受信した下りリンクの信号を制御部１０６に入力する。
【００３３】
本基地局装置１００は、上りリンク信号受信部１１４を有する。上りリンク信号受信部１１４は、移動機２００により送信された無線信号を受信する。該無線信号には、移動機２００により送信された他の移動機宛の上りリンクの信号が含まれる。該無線信号には、メジャメントギャップ起動中の移動機２００が通信品質の劣化を検出した際に送信する「再接続要求信号」が含まれる。また、該無線信号には、移動機２００が当該基地局装置から受信した「再接続要求応答信号」に対して送信する「再接続報告信号」が含まれる。また、該無線信号には、移動機２００が当該基地局装置１００から受信した「回線設定・測定指示信号」に基づいて、メジャメントギャップの起動を行った際に送信する「回線設定・測定指示応答信号」が含まれる。該「回線設定・測定指示信号」にはメジャメントギャップを起動する指示信号が含まれる。また、該無線信号には、移動機２００が当該基地局装置１００からの指示に従って、LTE方式により無線通信可能な周波数帯のうち、通信中の周波数帯以外の周波数帯及び／又はLTE方式とは異なる無線アクセステクノロジにより使用される周波数帯の測定結果を報告する「ハンドオーバー要求信号」が含まれる。また、上りリンク信号受信部１１４は、移動機２００により送信された無線信号の受信品質を測定する。上りリンク信号受信部１１４は、受信した信号、及び受信品質を制御部１０６に入力する。
【００３４】
本基地局装置１００は、状態管理部１１０を有する。状態管理部１１０は、制御部１０６と接続される。状態管理部１１０は、当該基地局装置１００と無線通信を行うべき移動機２００の状態を管理する。状態を管理すべき移動機２００の状態には、メジャメントギャップを起動している状態と、メジャメントギャップを停止している状態とが含まれる。
【００３５】
本基地局装置１００は、制御部１０６を有する。制御部１０６は、下りリンク信号受信部１０２と、上りリンク信号受信部１１４と、指示部１０８と、状態管理部１１０と接続される。制御部１０６は、下りリンク信号受信部１０２により入力された下りリンクの信号を宛先の移動機に送信するように、指示部１０８に命令する。制御部１０６は、上りリンク信号受信部１１４により入力された上りリンクの信号を宛先の移動機に送信するように、指示部１０８に命令する。制御部１０６は、上りリンク信号受信部１１４により入力された「再接続要求信号」に基づいて、再接続処理を行う。制御部１０６は、該再接続処理を行うと、「再接続要求応答信号」を送信するように、指示部１０８に命令する。また、制御部１０６は、上りリンク信号受信部１１４により入力された「再接続報告信号」に基づいて、再接続処理を完了する。また、制御部１０６は、移動機２００に、「再接続要求応答信号」を送信した後、該移動機２００が「再接続要求信号」を送信する際の状態を判定する。該状態には、メジャメントギャップを起動している状態と、メジャメントギャップを停止している状態とが含まれる。制御部１０６は、状態管理部１１０に記録された状態情報を取得し、該状態情報に基づいて、再接続を要求した移動機２００との間で再接続処理が行われた直後に、メジャメントギャップを起動させるかどうかを判定する。例えば、制御部１０６は、該移動機２００が「再接続要求信号」を送信する際にメジャメントギャップを起動していたと判定した場合には、再接続処理の直後にメジャメントギャップを起動させると判定する。一方、制御部１０６は、該移動機２００が「再接続要求応答信号」を送信する際にメジャメントギャップを停止していたと判定した場合には、再接続処理の直後にメジャメントギャップを起動させると判定しない。
【００３６】
制御部１０６は、再接続処理の直後にメジャメントギャップを起動させると判定した場合には、「回線設定・測定指示信号」に、メジャメントギャップを起動させる指示信号を含めて送信するように指示部１０８に命令する。制御部１０６は、再接続処理の直後にメジャメントギャップを起動させないと判定した場合には、「回線設定・測定指示信号」に、メジャメントギャップを起動させる指示信号を含めないで送信するように指示部１０８に命令する。
【００３７】
また、制御部１０６は、「回線設定・測定指示信号」を送信した後、該移動機２００により送信される「回線設定・測定指示応答信号」が入力されることによりメジャメントギャップの起動を完了する。
【００３８】
「回線設定・測定指示応答信号」を送信した後、該移動機２００は、無線通信に使用されている無線アクセステクノロジにおける接続中の周波数帯とは異なる周波数帯及び／又は異なる無線アクセステクノロジの周波数帯を測定する。該移動機２００は、周波数帯の測定結果をハンドオーバー要求信号に含めて、基地局装置１００に送信する。該周波数帯の測定結果を含むハンドオーバー要求信号は、上りリンク信号受信部１１４から、制御部１０６に入力される。制御部１０６は、該周波数帯の測定結果に基づいて、ハンドオーバーを実行させるかどうかを判定する。ハンドオーバーを実行させる場合には、制御部１０６は、ハンドオーバーを指示する命令を該移動機２００に送信するように指示部１０８に入力する。
【００３９】
本基地局装置１００は、指示部１０８を有する。指示部１０８は、制御部１０６と、下りリンク信号送信部１１２と、上りリンク信号送信部１０４と接続される。
【００４０】
指示部１０８は、制御部１０６による命令に従って、上りリンクの信号を送信する指示を行う。例えば、指示部１０８は、制御部１０６による命令に従って、上りリンク信号受信部１１４からの上りリンクの信号を、MMEに送信するように、上りリンク信号送信部１０４に指示する。
【００４１】
また、指示部１０８は、制御部１０６による命令に従って、下りリンクの信号を送信する指示を行う。例えば、指示部１０８は、制御部１０６による命令に従って、下りリンク信号受信部１０２からの下りリンクの信号を、移動機２００に送信するように、下りリンク信号送信部１１２に指示する。
【００４２】
また、指示部１０８は、制御部１０６による命令に従って、下りリンクの信号を送信する指示を行う。例えば、指示部１０８は、制御部１０６による命令に従って、「再接続要求応答信号」、及び「回線設定・測定指示信号」を、移動機２００に送信するように、下りリンク信号送信部１１２に指示する。
【００４３】
本基地局装置１００は、上りリンク信号送信部１０４を有する。上りリンク信号送信部１０４は、指示部１０８と接続される。上りリンク信号送信部１０４は、指示部１０８による指示に従って、上りリンクの信号を送信する。
【００４４】
本基地局装置１００は、下りリンク信号送信部１１２を有する。下りリンク信号送信部１１２は、指示部１０８と接続される。下りリンク信号送信部１１２は、指示部１０８による指示に従って、下りリンクの信号を送信する。
【００４５】
＜本基地局装置の動作＞
図３は本基地局装置の動作を示すための図である。
【００４６】
本実施例では、一例として以下の場合について説明する。
【００４７】
移動機２００は、アクティブ状態に遷移した後、メジャメントギャップ停止エリアから、メジャメントギャップ停止エリアとメジャメントギャップ起動エリアとの境界点（ポイントＡ）に移動する。ポイントＡに移動後、メジャメントギャップ起動エリアに移動する。メジャメントギャップ起動エリアに移動後、メジャメントギャップ起動エリアとメジャメントギャップ停止エリアとの境界点（ポイントＢ）に移動する。ポイントＢに移動後、メジャメントギャップ停止エリアに移動する。
【００４８】
図４は本基地局装置と移動機との間の処理を示すシーケン図である。
【００４９】
メジャメントギャップ停止エリアに位置する移動機２００は、基地局装置１００に接続を要求するための「接続要求信号」を送信する（ステップＳ４０２）。該「接続要求信号」は、「RRC Connection Request」とも呼ばれる。
【００５０】
移動機２００から「接続要求信号」を受信した基地局装置１００は、「接続セットアップ信号」を送信する（ステップＳ４０４）。該「接続セットアップ信号」は、「RRC Connection Setup」とも呼ばれる。
【００５１】
基地局装置１００から「接続セットアップ信号」を受信した移動機２００は、基地局装置１００に接続セットアップが完了したことを報告するための「接続セットアップ報告信号」を送信する（ステップＳ４０６）。該「接続セットアップ報告信号」は、「RRC Connection Setup Complete」とも呼ばれる。
【００５２】
移動機２００から「接続セットアップ報告信号」を受信した基地局装置１００は、セキュリティモードを設定するための「セキュリティモードコマンド(Security Mode Command)」を送信する（ステップＳ４０８）。
【００５３】
移動機２００に「セキュリティモードコマンド」を送信した基地局装置１００は、移動機２００に、回線を設定し、周波数帯測定を指示するための「回線設定・測定指示信号」を送信する（ステップＳ４１０）。該「回線設定・測定指示信号」には、イントラ周波数帯用(intra-Freq用)設定のための情報を含んでいてもよい。イントラ周波数帯用(intra-Freq用)設定のための情報は、LTE方式により無線通信可能な周波数帯のうち、通信中の周波数帯を測定するために設定すべき情報である。また、該「回線設定・測定指示信号」には、メジャメントギャップを起動するために設定すべき情報を含んでいてもよい。
【００５４】
基地局装置１００から「セキュリティモードコマンド」を受信した移動機２００は、セキュリティモードを設定し、セキュリティモードの設定が終了したことを報告する「セキュリティモード設定報告信号」を送信する（ステップＳ４１２）。該「セキュリティモード設定報告信号」は、「Security Mode Complete」とも呼ばれる。
【００５５】
基地局装置１００から「回線設定・測定指示信号」を受信した移動機２００は、該「回線設定・測定指示信号」に含まれる設定内容に従って、回線を設定し、測定内容を設定する。該移動機２００は、設定が終了したことを通知する「回線設定・測定指示応答信号」を送信する（ステップＳ４１４）。該「回線設定・測定指示応答信号」は、「RRC Connection Reconfiguration Complete」とも呼ばれる。
【００５６】
ステップＳ４０２−ステップＳ４１４の処理により、移動機２００はアクティブモードに遷移する。
【００５７】
ポイントＡに移動した移動機２００は、ステップＳ４１４により「回線設定・測定指示応答信号」を送信する際に設定した測定内容に従って、周波数帯測定を実行し、該周波数帯測定結果を含む「測定結果報告信号」を送信する（ステップＳ４１６）。該「測定結果報告信号」は、「Measurement Report」とも呼ばれる。
【００５８】
該「測定結果報告信号」を受信した基地局装置１００は、該「測定結果報告信号」に含まれる周波数帯測定結果に基づいて、通信品質が劣化したと判定する。該基地局装置１００は、該移動機２００をハンドオーバーさせる可能性があると判定する。基地局装置１００は、該移動機２００に回線を設定し、周波数帯測定を指示するための「回線設定・測定指示信号」を送信する（ステップＳ４１８）。該「回線設定・測定指示信号」には、メジャメントギャップを起動させる指示が含まれる。該「回線設定・測定指示信号」には、メジャメントギャップを起動するために設定すべき情報を削除する情報が含まれる。メジャメントギャップを起動させる指示が含まれるためである。該「回線設定・測定指示信号」には、メジャメントギャップを停止するために設定すべき情報が含まれる。該「回線設定・測定指示信号」には、インター周波数帯用(inter-Freq用)設定のための情報を含んでいてもよい。インター周波数帯用(inter-Freq用)設定のための情報は、LTE方式により無線通信可能な周波数帯のうち、通信中の周波数帯以外の周波数帯を測定するために設定すべき情報である。該「回線設定・測定指示信号」には、LTE方式とは異なる無線アクセステクノロジにより使用される周波数帯を測定するために設定すべき情報が含まれる。
【００５９】
基地局装置１００から「回線設定・測定指示信号」を受信した移動機２００は、ステップＳ４１８により受信した「回線設定・測定指示信号」に含まれる設定内容に従って、回線を設定し、測定内容を設定する。該移動機２００は、設定が終了したことを通知する「回線設定・測定指示応答信号」を送信する（ステップＳ４２０）。該「回線設定・測定指示応答信号」は、「RRC Connection Reconfiguration Complete」とも呼ばれる。
【００６０】
移動機２００は、メジャメントギャップの起動とは関係なく、LTE方式により無線通信可能な周波数帯のうち、通信中の周波数帯を測定する。該移動機２００は、メジャメントギャップを起動し、LTE方式により無線通信可能な周波数帯のうち、通信中の周波数帯以外の周波数帯を測定し、LTE方式とは異なる無線アクセステクノロジにより使用される周波数帯を測定する。
【００６１】
しかし、メジャメントギャップ起動エリアに位置する移動局２００は、メジャメントギャップ起動中に、通信品質の劣化を検出し、基地局装置１００に、再接続を要求する「再接続要求信号」を送信する（ステップＳ４２２）。該「再接続要求信号」は、「RRC Connection Re-establishment Request」とも呼ばれる。
【００６２】
該「再接続要求信号」を受信した基地局装置１００は、該移動機２００に「再接続要求応答信号」を送信する（ステップＳ４２４）。例えば、該「再接続要求信号」は、上りリンク信号受信部１１４により受信され、制御部１０６に入力される。制御部１０６は、再接続処理を行うと、「再接続要求応答信号」を送信するように指示部１０８に命令する。指示部１０８は、制御部１０６による命令に従って、「再接続要求応答信号」を、移動機２００に送信するように、下りリンク信号送信部１１２に指示する。下りリンク信号送信部１１２は、指示部１０８による指示に従って、「再接続要求応答信号」を送信する。該「再接続要求応答信号」は、「RRC Connection Re-establishment」とも呼ばれる。
【００６３】
基地局装置２００から「再接続要求応答信号」を受信した移動機１００は、「再接続要求応答信号」を送信する（ステップＳ４２６）。該「再接続要求応答信号」は、「RRC Connection Re-establishment Complete」とも呼ばれる。
【００６４】
移動機２００から「再接続要求応答信号」を受信した基地局装置１００は、移動機２００に、回線を設定し、周波数帯測定を指示するための「回線設定・測定指示信号」を送信する（ステップＳ４２８）。該「回線設定・測定指示信号」には、メジャメントギャップの起動の指示信号が含まれる。例えば、該「再接続応答信号」は、上りリンク信号受信部１１４により受信され、制御部１０６に入力される。制御部１０６は、「再接続応答信号」を送信した移動機２００が「再接続要求信号」を送信する直前の状態を把握する。制御部１０６は、移動機２００が「再接続要求信号」を送信する直前の状態がメジャメントギャップを起動している状態であると判定した場合、「回線設定・測定指示信号」にメジャメントギャップの起動の指示信号を含めて送信するように指示部１０８に入力する。一方、制御部１０６は、移動機２００が「再接続要求信号」を送信する直前の状態がメジャメントギャップを停止している状態であると判定した場合、「回線設定・測定指示信号」にメジャメントギャップの起動の指示を含めないで送信するように指示部１０８に入力する。指示部１０８は、制御部１０６による指示に従って「回線設定・測定指示信号」を送信するように下りリンク信号送信部１１２に指示する。下りリンク信号送信部１１２は、指示部１０８による指示に従って、「回線設定・測定指示信号」を送信する。該「回線設定・測定指示信号」は、「RRC Connection Reconfiguration」とも呼ばれる。
【００６５】
基地局装置１００から「回線設定・測定指示信号」を受信した移動機２００は、回線を設定し、測定内容を設定する。該測定内容は、ステップＳ４１８により通知された設定内容と同様である。ステップＳ４１８により通知された設定内容と同様であるため、ステップＳ４２８による「回線設定・測定指示信号」には、同様の設定内容は含まれない。具体的には、移動機２００は、メジャメントギャップを起動させる際に使用する内容を設定する。また、移動機２００は、メジャメントギャップを起動するために設定すべき情報を削除する際に使用する内容を設定する。また、移動機２００は、メジャメントギャップを起動させる際に使用する内容を設定する。また、移動機２００は、メジャメントギャップを停止するために設定する際に使用する内容を設定する。また、移動機２００は、インター周波数帯用(inter-Freq用)設定のための情報を設定する。インター周波数帯用(inter-Freq用)設定のための情報は、LTE方式により無線通信可能な周波数帯のうち、通信中の周波数帯以外の周波数帯を測定するために設定すべき情報である。また、移動機２００は、LTE方式とは異なる無線アクセステクノロジにより使用される周波数帯を測定するために設定すべき情報を設定する。
【００６６】
該移動機２００は、設定が終了したことを通知する「回線設定・測定指示応答信号」を送信する（ステップＳ４３０）。該「回線設定・測定指示応答信号」は、「RRC Connection Reconfiguration Complete」とも呼ばれる。
【００６７】
該移動機２００は、周波数帯測定を実行し、該周波数帯測定結果を含む「測定結果報告信号」を送信する（ステップＳ４３２）。該「測定結果報告信号」は、「Measurement Report」とも呼ばれる。
【００６８】
該「測定結果報告信号」を受信した基地局装置１００は、該「測定結果報告信号」に含まれる周波数帯測定結果に基づいて、ハンドオーバーを実施すべきかどうかを判定する。ハンドオーバーを実施すべきと判定した場合、基地局装置１００と移動機２００との間で、ハンドオーバー手順が実施される（ステップＳ４３４）。
【００６９】
＜本実施例の効果＞
図５は従来の基地局装置と移動機との間の処理の一例を示すシーケン図である。
【００７０】
図５において、ステップＳ５０２−Ｓ５０６は、ステップＳ４２２−Ｓ４２６に相当する。
【００７１】
従来の基地局装置は、移動機から「再接続要求応答信号」を受信した後、移動機に、回線を設定し、周波数帯測定を指示するための「回線設定・測定指示信号」を送信する（ステップＳ５０８）。該「回線設定・測定指示信号」には、メジャメントギャップを停止させる指示が含まれてもよい。移動機が、再接続要求を送信した直前の状態に合わせるためである。また、該「回線設定・測定指示信号」には、メジャメントギャップ起動中に測定していた内容を中止させ、メジャメントギャップを起動させるために設定すべき情報が含まれる。
【００７２】
基地局装置から「回線設定・測定指示信号」を受信した移動機は、ステップＳ５０８により受信した「回線設定・測定指示信号」に含まれる設定内容に従って、回線を設定し、測定内容を設定する。該移動機は、設定が終了したことを通知する「回線設定・測定指示応答信号」を送信する（ステップＳ５１０）。該「回線設定・測定指示応答信号」は、「RRC Connection Reconfiguration Complete」とも呼ばれる。
【００７３】
移動機は、周波数帯測定を実行し、該周波数帯測定結果を含む「測定結果報告信号」を送信する（ステップＳ５１２）。該「測定結果報告信号」は、「Measurement Report」とも呼ばれる。
【００７４】
該「測定結果報告信号」を受信した基地局装置は、該「測定結果報告信号」に含まれる周波数帯測定結果に基づいて、通信品質が劣化したと判定する。該基地局装置は、該移動機をハンドオーバーさせる可能性があると判定する。基地局装置は、該移動機に回線を設定し、周波数帯測定を指示するための「回線設定・測定指示信号」を送信する（ステップＳ５１４）。該「回線設定・測定指示信号」には、メジャメントギャップを起動させる指示が含まれる。該「回線設定・測定指示信号」には、メジャメントギャップを停止するために設定すべき情報が含まれる。該「回線設定・測定指示信号」は、「RRC Connection Reconfiguration」とも呼ばれる。
【００７５】
基地局装置から「回線設定・測定指示信号」を受信した移動機は、ステップＳ５１４により受信した「回線設定・測定指示信号」に含まれる設定内容に従って、回線を設定し、測定内容を設定する。該移動機は、設定が終了したことを通知する「回線設定・測定指示応答信号」を送信する（ステップＳ５１６）。該「回線設定・測定指示応答信号」は、「RRC Connection Reconfiguration Complete」とも呼ばれる。
【００７６】
移動機は、メジャメントギャップを起動し、LTE方式により無線通信可能な周波数帯のうち、通信中の周波数帯以外の周波数帯を測定し、LTE方式とは異なる無線アクセステクノロジにより使用される周波数帯を測定する。
【００７７】
移動機は、該周波数帯測定結果を含む「測定結果報告信号」を送信する（ステップＳ５１８）。該「測定結果報告信号」は、「Measurement Report」とも呼ばれる。
【００７８】
該「測定結果報告信号」を受信した基地局装置は、該「測定結果報告信号」に含まれる周波数帯測定結果に基づいて、ハンドオーバーを実施すべきかどうかを判定する。ハンドオーバーを実施すべきと判定した場合、基地局装置と移動機との間で、ハンドオーバー手順が実施される（ステップＳ５２０）。
【００７９】
本実施例によれば、メジャメントギャップを起動させる指示信号がステップＳ４２８により送信される「回線設定・測定指示信号」に含められるため、移動機は再接続の終了後、直ちにメジャメントギャップを起動できる。図５に示される従来のシーケンスでは、メジャメントギャップの起動される指示信号がステップＳ５０８により送信される「回線設定・測定指示信号」に含まれないため、移動機により送信されるメジャメントレポート（ステップＳ５１２）に基づいて、受信品質が劣化したと判定された場合に、メジャメントギャップを起動させる指示信号が送信される（ステップＳ５１４）。メジャメントギャップを起動させる指示信号が送信され、移動機により「回線設定・測定指示応答信号」が送信された後（ステップＳ５１６）、移動機は、メジャメントギャップを起動し、周波数帯測定を行う。
【００８０】
換言すれば、本実施例では、ステップＳ５１２−Ｓ５１６の処理を実行する必要がないため、処理時間を短縮できる。該処理時間を短縮できるため、ハンドオーバーのタイミングが遅延してしまう確率を低減できる。
【００８１】
本実施例によれば、移動機との間で無線通信を行う基地局装置が提供される。
【００８２】
該基地局装置は、
前記移動機により送信されるべき当該基地局装置との間の再接続を要求するための再接続要求信号を受信する上りリンク信号受信部としての再接続要求信号受信部と、
該再接続要求信号受信部により受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する制御部としての状態検出部と、
該状態検出部により周波数帯測定期間を起動中であると判定された場合、前記再接続要求信号に対する応答信号に、前記周波数帯測定期間を起動させる指示信号を含めた応答信号を生成する指示部としての応答信号生成部と、
該応答信号生成部により生成された応答信号を移動機に送信する下りリンク信号送信部としての応答信号送信部と
を有する。
【００８３】
移動機の再接続要求信号を送信する直前の状態が周波数帯測定期間を起動中であると判定された場合に、周波数帯測定期間を起動させる指示信号を含めた応答信号を送信することにより、移動機との間で再接続が行われてから、該移動機が周波数帯測定期間を起動するまでの時間を短縮できる。
【００８４】
さらに、
前記状態検出部は、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する。
【００８５】
当該基地局装置との間の無線通信に使用されている無線アクセステクノロジにおける他の周波数帯及び／又は該無線アクセステクノロジ以外の無線アクセステクノロジで使用可能な周波数帯に基づいて、ハンドオーバーを実行させることができる。
【００８６】
さらに、
前記応答信号は、前記移動機に回線設定及び周波数帯測定を指示するための信号である。
【００８７】
移動機との間で再接続処理を行う際に送信すべき回線設定及び周波数帯測定を指示するための信号により、移動機に周波数帯測定を起動させる指示を行うことができる。
【００８８】
本実施例によれば、移動機との間で無線通信を行う基地局装置における方法が提供される。
【００８９】
該方法は、
前記移動機により送信されるべき当該基地局装置との間の再接続を要求するための再接続要求信号を受信する再接続要求信号受信ステップと、
該再接続要求信号受信ステップにより受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出ステップと、
該状態検出ステップにより周波数帯測定期間を起動中であると判定された場合、前記再接続要求信号に対する応答信号に、前記周波数帯測定期間を起動させる指示信号を含めた応答信号を生成する応答信号生成ステップと、
該応答信号生成ステップにより生成された応答信号を移動機に送信する応答信号送信ステップと
を有する。
【００９０】
さらに、
前記状態検出ステップは、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する。
【００９１】
さらに、
前記応答信号は、前記移動機に回線設定及び周波数帯測定を指示するための信号である。
【００９２】
説明の便宜上、発明の理解を促すため具体的な数値例を用いて説明されるが、特に断りのない限り、それらの数値は単なる一例に過ぎず適切な如何なる値が使用されてよい。
【００９３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９４】
１００  基地局装置
１０２  下りリンク信号受信部
１０４  上りリンク信号送信部
１０６  制御部
１０８  指示部
１１０  状態管理部
１１２  下りリンク信号送信部
１１４  上りリンク信号受信部
１５０  セル
１６０  セル
【図１】
2011223095.tif 000003
【図２】
2011223095.tif 000004
【図３】
2011223095.tif 000005
【図４】
2011223095.tif 000006
【図５】
2011223095.tif 000007
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
移動機との間で無線通信を行う基地局装置であって、
前記移動機により送信されるべき当該基地局装置との間の再接続を要求するための再接続要求信号を受信する再接続要求信号受信部と、
該再接続要求信号受信部により受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出部と、
該状態検出部により周波数帯測定期間を起動中であると判定された場合、前記再接続要求信号に対する応答信号に、前記周波数帯測定期間を起動させる指示信号を含めた応答信号を生成する応答信号生成部と、
該応答信号生成部により生成された応答信号を移動機に送信する応答信号送信部と
を有する基地局装置。
【請求項２】
請求項１に記載の基地局装置において、
前記状態検出部は、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する基地局装置。
【請求項３】
請求項１又は２に記載の基地局装置において、
前記応答信号は、前記移動機に回線設定及び周波数帯測定を指示するための信号である基地局装置。
【請求項４】
移動機との間で無線通信を行う基地局装置における方法であって、
前記移動機により送信されるべき当該基地局装置との間の再接続を要求するための再接続要求信号を受信する再接続要求信号受信ステップと、
該再接続要求信号受信ステップにより受信された再接続要求信号を送信した移動機の前記再接続要求信号を送信する直前の状態が当該基地局装置との間の無線通信に使用されている無線アクセステクノロジにおける周波数帯以外の他の周波数帯を測定するための周波数帯測定期間を起動している状態であったかどうかを検出する状態検出ステップと、
該状態検出ステップにより周波数帯測定期間を起動中であると判定された場合、前記再接続要求信号に対する応答信号に、前記周波数帯測定期間を起動させる指示信号を含めた応答信号を生成する応答信号生成ステップと、
該応答信号生成ステップにより生成された応答信号を移動機に送信する応答信号送信ステップと
を有する方法。
【請求項５】
請求項４に記載の方法において、
前記状態検出ステップは、当該基地局装置との間の無線通信に使用されている無線アクセステクノロジにおける他の周波数帯及び／又は該無線アクセステクノロジ以外の無線アクセステクノロジで使用可能な周波数帯を測定するための周波数帯測定期間を起動している状態であったかどうかを検出する方法。
【請求項６】
請求項４又は５に記載の方法において、
前記応答信号は、前記移動機に回線設定及び周波数帯測定を指示するための信号である方法。